(57)【要約】【課題】アンテナの性能確認試験で取得されるデータサイズを低減し、試験及び解析の高速化を図ること。【解決手段】アンテナの送受信性能を試験するアンテナ試験装置において、試験用の送信信号をアンテナから送信してモニタする送信試験と、試験用に放射された送信信号をアンテナにより受信する受信試験とを切り替えて行うアンテナ性能確認試験器４と、送信試験時に得られるモニタ信号及び受信試験時に得られる受信信号をそれぞれサンプリングする受信器３ｂと、サンプリングされたデータを規定のサンプル数で平均化するデータ変換器５と、平均化されたデータを格納するロジックアナライザ６とを備える。【選択図】図１
2009267979.tif 000002
【特許請求の範囲】
【請求項１】
アンテナの送受信性能を試験するアンテナ試験装置であって、
試験用の送信信号を前記アンテナから送信してモニタする送信試験と、試験用に放射された送信信号を前記アンテナにより受信する受信試験とを切り替えて行う試験手段と、
前記送信試験時に得られるモニタ信号及び前記受信試験時に得られる受信信号をそれぞれサンプリングするサンプリング手段と、
前記サンプリングされたデータを規定のサンプル数で平均化する平均化処理手段と、
前記平均化されたデータを格納する格納手段と
を具備することを特徴とするアンテナ試験装置。
【請求項２】
アンテナの送受信性能を試験するアンテナ試験方法であって、
試験用の送信信号を前記アンテナから送信してモニタする送信試験と、試験用に放射された送信信号を前記アンテナにより受信する受信試験とを切り替えて行い、
前記送信試験時に得られるモニタ信号及び前記受信試験時に得られる受信信号をそれぞれサンプリングし、
前記サンプリングされたデータを規定のサンプル数で平均化し、
前記平均化されたデータを格納することを特徴とするアンテナ試験方法。
【発明の詳細な説明】
【技術分野】
【０００１】
この発明は、アンテナの送受信性能を確認するための試験を行うアンテナ試験装置及びアンテナ試験方法に関する。
【背景技術】
【０００２】
アレイアンテナの性能確認試験では、全アンテナ素子に対して試験を実施する。アレイアンテナの素子数・測定項目が多いほど、測定パラメータが増えることから、データ量が増大し、試験及び試験後の解析に時間がかかるという問題点があった。
【０００３】
なお、本願に関連する公知文献として、次のようなものがある（例えば、特許文献１乃至３を参照。）。
【特許文献１】特開２００６−３４５３７７公報
【特許文献２】特開２００６−３２５０３３公報
【特許文献３】特開平１０−１７０６３３号公報
【発明の開示】
【発明が解決しようとする課題】
【０００４】
上述したように、アレイアンテナの性能確認試験では、全アンテナ素子に対して試験を実施する。アレイアンテナの素子数・測定項目が多いほど、測定パラメータが増えることから、データ量が増大し、試験及び試験後の解析に時間がかかるという問題点があった。
【０００５】
この発明は上記事情に着目してなされたもので、その目的とするところは、アンテナの性能確認試験で取得されるデータサイズを低減し、試験及び解析の高速化を図ることができるアンテナ試験装置及びアンテナ試験方法を提供することにある。
【課題を解決するための手段】
【０００６】
上記目的を達成するためにこの発明に係るアンテナ試験装置は、アンテナの送受信性能を試験するアンテナ試験装置であって、試験用の送信信号を前記アンテナから送信してモニタする送信試験と、試験用に放射された送信信号を前記アンテナにより受信する受信試験とを切り替えて行う試験手段と、前記送信試験時に得られるモニタ信号及び前記受信試験時に得られる受信信号をそれぞれサンプリングするサンプリング手段と、前記サンプリングされたデータを規定のサンプル数で平均化する平均化処理手段と、前記平均化されたデータを格納する格納手段とを具備する。
【０００７】
また、この発明に係るアンテナ試験方法は、アンテナの送受信性能を試験するアンテナ試験方法であって、試験用の送信信号を前記アンテナから送信してモニタする送信試験と、試験用に放射された送信信号を前記アンテナにより受信する受信試験とを切り替えて行い、前記送信試験時に得られるモニタ信号及び前記受信試験時に得られる受信信号をそれぞれサンプリングし、前記サンプリングされたデータを規定のサンプル数で平均化し、前記平均化されたデータを格納するものである。
【０００８】
上記構成によるアンテナ試験装置及びアンテナ試験方法では、アンテナの性能確認試験において得られたサンプリングデータを平均化処理して格納するようにしている。このようにすることで、データ量を低減することができるため、試験及び解析に要する時間を短縮できる。
【発明の効果】
【０００９】
したがってこの発明によれば、アンテナの性能確認試験で取得されるデータサイズを低減し、試験及び解析の高速化を図ることができるアンテナ試験装置及びアンテナ試験方法を提供することができる。
【発明を実施するための最良の形態】
【００１０】
以下、図面を参照しながら本発明の実施の形態を詳細に説明する。  
図１は、この発明に係るアンテナ試験装置の一実施形態を示す構成図である。  
制御器２は、パーソナル・コンピュータ（ＰＣ）１による試験内容の制御にしたがって、信号のタイミングを表すトリガやアンテナの周波数、ビーム指向や制御するためのアンテナ制御データを送受信器３に送る。送受信器３は、送信器３aと受信器３ｂとを備え、トリガにしたがって送信機能と受信機能とを切り替える。
【００１１】
アンテナ性能確認試験器４は、例えば、アレイアンテナの全てのアンテナ素子それぞれに対して、送信試験と受信試験とを切り替えて行う。送信試験時には、アンテナ性能確認試験器４は、送信器３ａにより生成された試験用の送信信号をアンテナから送信してモニタし、モニタされた信号を受信器３ｂに供給する。一方、受信試験時には、アンテナ性能確認試験器４では、送信器３ａにより生成された送信信号が試験用アンテナ（図示せず）等から放射され、アンテナにより受信された信号が受信器３ｂに供給される。
【００１２】
アンテナ性能確認試験器４から供給される受信信号及びモニタ信号の各々は、受信器３ｂでサンプリングを行いアンテナ素子の振幅・位相情報を表すＩ、Ｑデータに変換される。変換されたＩ、Ｑデータは時系列的にシリアルでデータ変換器５に送られる。データ変換器５は、Ｉ、Ｑデータの平均化処理を行いロジックアナライザ６にデータを格納する。ロジックアナライザ６にデータが格納されると、制御器２は次のアンテナ素子に対する試験に移行する。
【００１３】
次に、このように構成されたアンテナ装置の動作について説明する。  
図２は、データ変換器５の処理の手順とその内容を示すフローチャートである。  
受信器３ｂにおいて変換されたＩ、Ｑデータは、時系列的にシリアルでデータ変換器５に送られる。Ｉ、Ｑデータは、図５中５ａに示すように、上位ビットと下位ビットとにそれぞれ分割されており、データ変換器５内でＩ、Ｑデータの上位ビットと下位ビットがそれぞれ連結され（ステップＳ１）、ＮビットのＩ、Ｑデータとなる（図５中５ｂ）。
【００１４】
次に、データ変換器５は、下記式のように、ＮビットのＩ、Ｑデータのそれぞれについて、規定のサンプル数（各々Ｍ個）で平均化処理を行う（ステップＳ２）。  
Ｉａ（平均化データ）＝（Ｉ１＋Ｉ２＋・・・ＩＭ）／Ｍ  
Ｑａ（平均化データ）＝（Ｑ１＋Ｑ２＋・・・ＱＭ）／Ｍ  
データ変換器５は、平均化処理後のＩａ、Ｑａデータ（図５中５ｃ）をロジックアナライザ６に送りデータを格納する。
【００１５】
図３に、試験内容の一例を示す。図３では、１０素子について、周波数１０波で送信・受信試験を行いサンプル数２０ポイントのデータがそれぞれ取得される。このように、一般的に、アンテナ試験においては、サンプリングしたＩ、Ｑデータを複数取得するため、必然的にデータサイズが大きくなるという問題がある。一方、データ解析時には、各アンテナ素子試験で取得したＩ、Ｑデータを平均化する過程が必要となる。本実施形態では、この平均データを算出する過程を測定段階のデータ変換器５にて実施することにより、取得するデータサイズの低減化を実現させた。
【００１６】
以上述べたように、上記実施形態によれば、Ｉ、Ｑデータの平均化処理を実施することにより、アンテナ性能確認試験により取得されたデータサイズの低減化が実現できる。これにより、ロジックアナライザでのデータ格納に要する書き込み時間及び回数が低減することから、試験の高速化が可能となる。また、格納されたデータについてはすでに平均化処理が行われているため、試験後の解析作業時間の短縮化も図ることができる。
【００１７】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１８】
【図１】この発明に係るアンテナ試験装置の一実施形態を示す構成図。
【図２】データ変換器の処理の手順とその内容を示すフローチャート。
【図３】試験内容の一例を示す図。
【符号の説明】
【００１９】
１…ＰＣ、２…制御器、３…送受信器、３ａ…送信器。３ｂ…受信器、４…、アンテナ性能確認試験器、５…データ変換器、６…ロジックアナライザ。
【図１】
2009267979.tif 000003
【図２】
2009267979.tif 000004
【図３】
2009267979.tif 000005